(57)【要約】【課題】冷蔵庫の扉に関し、外観意匠性ならびに扉の操作性、組立て性の向上を図る。【解決手段】上下を折り曲げた外板７とその側面に配置したキャップ９と内板８により構成される空間に発泡断熱材を充填してなる扉に、可動式のハンドル１２と支点軸１５とレバー１３によるテコの原理により扉の開扉力を低減する開扉力低減機構を、前記キャップ９とは独立して前記外板７上部に設けたものであり、扉開時の操作性が向上するとともに、扉の上下端部のスッキリ感を高めデザイン性の向上が図れる。【選択図】　図２
2004116842.tif 000002
【特許請求の範囲】
【請求項１】
上下を折り曲げた外板とその側面に配置したキャップと内板により構成される空間に発泡断熱材を充填してなる扉に、可動式のハンドルと支点軸とレバーによるテコの原理により扉の開扉力を低減する開扉力低減機構を、前記キャップとは独立して前記外板上部に設けた冷蔵庫。
【請求項２】
外板に切り欠き部を設け、前記切り欠き部にベースと可動式のハンドルと支点軸とレバーによるテコの原理により扉の開扉力を低減する開扉力低減機構と前記開扉力低減機構を覆うカバーとを組み込んだことを特徴とする請求項１に記載の冷蔵庫。
【請求項３】
切り欠き部は上下を折り曲げた外板の上辺の中央部に設けたことを特徴とする請求項２に記載の冷蔵庫。
【請求項４】
ハンドルと支点軸とレバーとベースとカバーとをあらかじめ組込みブロック化した後、外板に固定し、発泡断熱材を充填することを特徴とする請求項１から請求項３のいずれか一項に記載の冷蔵庫。
【請求項５】
カバーは，発泡断熱材充填後も脱着可能であることを特徴とする請求項４に記載の冷蔵庫。
【請求項６】
ハンドルの裏面に指詰防止壁を一体に成形し、前記ハンドルを扉上方より組み込んだことを特徴とする請求項４に記載の冷蔵庫。
【請求項７】
開扉力低減機構を有する扉は、冷蔵庫の前面開口部を前後方向に可動する引出し式扉としたことを特徴とする請求項１から請求項６のいずれか一項に記載の冷蔵庫。
【発明の詳細な説明】
【０００１】
【発明の属する技術分野】
本発明は、冷蔵庫の扉構造に関するものである。
【０００２】
【従来の技術】
近年、家庭用冷蔵庫等の扉においては、折り曲げられた鉄板と樹脂製のキャップにより閉ざされた空間に発泡断熱材を充填して成る扉が主流である。
【０００３】
以下、図面を参照しながら上記従来の冷蔵庫を説明する。
図５は従来の冷蔵庫の斜視図、図６は従来の冷蔵庫の引出し扉の斜視図である。図において、１０４は冷蔵庫本体であり、１０１、１０２は冷蔵庫本体に取り付けられた引出し式の扉、１０３は冷蔵庫本体に取り付けられた回転式の扉である。この引出し式の扉１０１は、左右を折り曲げた鋼板製の外板１０５と、前記外板１０５の上端に被さる樹脂製のキャップ１０６と、同じく前記外板１０５の下端に被さる樹脂製のキャップ１０７、さらに図示しない樹脂製の内板から構成されている。扉１０１は前記外板１０５と上キャップ１０６、下キャップ１０７、内板により閉ざされた空間に発泡断熱材を充填して、扉の断熱性を確保している。またキャップ１０６には、それ自体に扉を引き出す為の取っ手１０８が備わっている（例えば、特許文献１参照。）。
【０００４】
【特許文献１】
特開２０００−９７５５２号公報
【０００５】
【発明が解決しようとする課題】
しかしながら、上記従来の冷蔵庫の扉の構成は、固定式のハンドルを備えた上キャップ１０６と下キャップ１０７で外板１０５の上下を覆う構造となっている。これら上下キャップが各扉の間に存在することで、冷蔵庫全体の外観意匠を考えた時、各扉の外板の連続性を妨げ、扉の統一感を損なうという欠点があった。また、取っ手１０８に手をかけ扉を開けるとき、保存食品の自重で重くなり操作性が悪くなるという欠点があった。
【０００６】
本発明は従来の課題を解決するもので、扉の外観意匠性ならびに扉の操作性を向上した冷蔵庫を提供することを目的とする。
【０００７】
【課題を解決するための手段】
本発明の請求項１に記載の発明は、上下を折り曲げた外板とその側面に配置したキャップと内板により構成される空間に発泡断熱材を充填してなる扉に、可動式のハンドルと支点軸とレバーによるテコの原理により扉の開扉力を低減する開扉力低減機構を、前記キャップとは独立して前記外板上部に設けたものであり、扉開時の操作性が向上するとともに、扉の上下端部のスッキリ感を高めデザイン性の向上が図れる。また、外板の上下を折り曲げることで、冷蔵庫本体の各部屋の仕切り部に近い位置まで外板をまわし込むことが可能になり、周囲の熱を前記仕切り部近傍まで伝えることで前記仕切り部近傍の発汗を防止できる。
【０００８】
請求項２に記載の発明は、請求項１に記載の発明において、外板に切り欠き部を設け、前記切り欠き部にベースと可動式のハンドルと支点軸とレバーによるテコの原理により扉の開扉力を低減する開扉力低減機構と前記開扉力低減機構を覆うカバーとを組み込んだものであり、扉の一体感を高めることができ、デザイン性の向上が図れる。
【０００９】
請求項３に記載の発明は、請求項２に記載の発明において、切り欠き部は上下を折り曲げた鉄板の上辺の中央部に設けたものであり、扉の左右のバランスを高めることができ、デザイン性の向上が図れる。
【００１０】
請求項４に記載の発明は、請求項１から請求項３のいずれか一項に記載の発明において、ハンドルと支点軸とレバーとベースとカバーとをあらかじめ組込みブロック化した後、外板に固定し、発泡断熱材を充填するものであり、製造工程での作業工数の分割化を図ることができ、効率的な組立ができる。
【００１１】
請求項５に記載の発明は、請求項４に記載の発明において、カバーは，発泡断熱材充填後も脱着可能であり、開扉力低減機構の点検補修が容易にできるとともに、リサイクル時の扉の分解性を高めることができる。
【００１２】
請求項６に記載の発明は、請求項４に記載の発明において、ハンドルの裏面に指詰防止壁を一体に成形し、前記ハンドルを扉上方より組み込んだものであり、指詰めに対する安全性が高まるとともに、部品点数の低減により低コスト化が図れる。
【００１３】
請求項７に記載の発明は、請求項１から請求項６のいずれか一項に記載の発明において、開扉力低減機構を有する扉は、冷蔵庫の前面開口部を前後方向に可動する引出し式扉としたものであり、引出し式扉の意匠性と使い勝手の向上を図ることができる。
【００１４】
【発明の実施の形態】
以下、本発明による冷蔵庫の実施の形態について、図面を参照しながら説明する。
【００１５】
（実施の形態１）
図１は、本発明の実施の形態１による冷蔵庫の斜視図である。図２は、同実施の形態による冷蔵庫の扉の分解図である。図３は、同実施の形態による冷蔵庫の扉のハンドル部分をブロック化した斜視図、図４は、同実施の形態による冷蔵庫の扉のブロック化したハンドル部分の断面図である。
【００１６】
図１において、１は冷蔵庫本体で、内部を複数の区画に仕切り、上部より冷蔵室、野菜室、製氷室、切替室、冷凍室を構成し、各室の前面開口部に回転式の冷蔵室扉２、それぞれ引出し式の野菜室扉３、製氷室扉４、切替室扉５、冷凍室扉６を設けている。
【００１７】
図２から図４において、野菜室扉３は、鋼板からなる外板７と樹脂製の内板８と左右側面に配置したキャップ９とハンドルブロック１０とで構成される空間に発泡断熱材を充填してなる。ハンドルブロック１０は、ベース１１とハンドル１２とレバー１３とカバー１４と支点軸１５と図示しないスプリングとよりなるもので、製造時、ハンドルブロック１０は、あらかじめ上記構成部品を組込みブロック化した後、外板７の切り欠き部１６に固定され、その後、発泡断熱材を充填する。外板７は上端折り曲げ部１７と下端折り曲げ部１８を有し、上端折り曲げ部１７の中央部に切り欠き部１６を設けている。
【００１８】
また、カバー１４は、ハンドルブロック１０形成時、上方よりツメ（図示せず）でベース１１に固定されており、発泡断熱材充填後もツメを外すことで脱着可能となっている。
【００１９】
また、ハンドル１２の裏面に指詰防止壁１９を一体に成形し、前記ハンドル１２を扉上方より組み込んでハンドルブロック１０を形成している。
【００２０】
また、レバー１３の一端はハンドル１２の上端中央部で回動自在に連接し、ハンドル１２の下端面を手前に引くことで、支点軸１５を支点としハンドル１２の上端部が奥側に移動し、連接するレバー１３の先端が冷蔵庫１本体の仕切り部を押すことで野菜室扉３は図示しないガスケットの着磁力を解除し開扉される。このとき、ハンドル１２の下端面から支点軸１５までの距離を、支点軸１５からレバー１３の一端までの距離より大きくすることで、テコの原理により開扉力を低減できる。
【００２１】
上記構成により、可動式のハンドル１２とレバー１３により扉の開扉力を低減する開扉力低減機構を有しているので扉開時の操作性が向上する。また、ベース１１とハンドル１２とレバー１３とカバー１４と支点軸１５とから構成するハンドルブロック１０は、キャップ９とは独立して配置しているので、開扉力低減機構をキャップ９をベースとして設計する必要もなく自由なレイアウトで設計することができ、デザイン性の向上が図れる。
【００２２】
また、冷蔵室扉２、野菜室扉３、製氷室扉４、切替室扉５、冷凍室扉６の上下面は鋼板を折り曲げて成形しているので、隣り合う扉との連続性を強調でき、扉の上下端部のスッキリ感が高まり、外観品位を高めることができる。また、側面左右は樹脂製のキャップ９で構成されているので、上段から下段まで冷蔵庫の側面のラインを曲線で統一性のあるデザインにすることも可能となり、外観品位を高めることができる。また、外板７の上下端を折り曲げることで、冷蔵庫１本体の各部屋の仕切り部に近い位置まで外板７をまわし込むことが可能になり、周囲の熱を前記仕切り部近傍まで伝えることで前記仕切り部近傍の発汗を防止できる。
【００２３】
また、外板７の上辺の中央部に切り欠き部１６を設け、前記切り欠き部１６にハンドルブロック１０を構成する、ベース１１とハンドル１２とレバー１３と支点軸１５とこれらを覆うカバー１４を組み込んでいるので、野菜室扉３の上部ハンドル取り付け部の一体感、左右バランスを高めることができ、デザイン性の向上が図れる。
【００２４】
また、ハンドル１２とレバー１３と支点軸１５とベース１１とカバー１４とをあらかじめ組込みブロック化した後、外板７に固定し、発泡断熱材を充填することで、生産のメインラインとは別の場所でハンドルブロック１０をあらかじめ組み立てておき、それを生産のメインラインで組み付けることが可能となり、製造工程での作業工数の分割化を図ることができ、効率的な組立ができる。また、ハンドルブロック１０をあらかじめ組込むことにより、ハンドルブロック１０の組立バラツキを検査、修正が可能となり外観品位の向上が図れる。
【００２５】
また、カバー１４は、ハンドルブロック１０形成時、上方よりツメでベース１１に固定されているので、発泡断熱材充填後もツメを外すことでカバー１４は脱着可能となり、開扉力低減機構の点検補修が容易にできるとともに、リサイクル時の扉の分解性を高めることができる。
【００２６】
また、ハンドル１２の裏面に指詰防止壁１９をハンドル面と略垂直方向に一体に成形し、前記ハンドル１２を扉上方より組み込んでハンドルブロック１０を形成しているので、ハンドル１２の稼動範囲内でハンドル１２とベース１１の間に指を詰める事を防止する為の指詰防止壁１９を配置させることができ、ハンドル１２を前方に引き、野菜室扉３を開放しようとしたとき、ハンドル１２の裏面に一体に成形した指詰防止壁１９も連動して動作するため、使用者の指がハンドル１２とベース１１の間に挟まれることも生じず、指詰めに対する安全性が高まる。さらにハンドルブロック１０の構成部品点数の低減が可能となり低コスト化が図れる。
【００２７】
また、開扉力低減機構を有する扉は、冷蔵庫１の前面開口部を前後方向に可動する引出し式扉としているので、多数を占める引出し式扉の意匠性と使い勝手の向上を図ることができる。
【００２８】
【発明の効果】
以上説明したように請求項１に記載の発明は、上下を折り曲げた外板とその側面に配置したキャップと内板により構成される空間に発泡断熱材を充填してなる扉に、可動式のハンドルと支点軸とレバーによるテコの原理により扉の開扉力を低減する開扉力低減機構を、前記キャップとは独立して前記外板上部に設けたものであり、扉開時の操作性が向上するとともに、扉の上下端部のスッキリ感を高めデザイン性の向上が図れる。また、外板の上下を折り曲げることで、周囲の熱を仕切り部近傍まで伝えられ、仕切り部近傍の発汗を防止できる。
【００２９】
また、請求項２に記載の発明は、請求項１に記載の発明において、外板に切り欠き部を設け、前記切り欠き部にベースと可動式のハンドルと支点軸とレバーによるテコの原理により扉の開扉力を低減する開扉力低減機構と前記開扉力低減機構を覆うカバーとを組み込んだものであり、扉の一体感を高めることができ、デザイン性の向上が図れる。
【００３０】
また、請求項３に記載の発明は、請求項２に記載の発明において、切り欠き部は上下を折り曲げた鉄板の上辺の中央部に設けたものであり、扉の左右のバランスを高めることができ、デザイン性の向上が図れる。
【００３１】
また、請求項４に記載の発明は、請求項１から請求項３のいずれか一項に記載の発明において、ハンドルと支点軸とレバーとベースとカバーとをあらかじめ組込みブロック化した後、外板に固定し、発泡断熱材を充填するものであり、製造工程での作業工数の分割化を図ることができ、効率的な組立ができる。
【００３２】
また、請求項５に記載の発明は、請求項４に記載の発明において、カバーは，発泡断熱材充填後も脱着可能であり、開扉力低減機構の点検補修が容易にできるとともに、リサイクル時の扉の分解性を高めることができる。
【００３３】
また、請求項６に記載の発明は、請求項４に記載の発明において、ハンドルの裏面に指詰防止壁を一体に成形し、前記ハンドルを扉上方より組み込んだものであり、指詰めに対する安全性が高まるとともに、部品点数の低減により低コスト化が図れる。
【００３４】
また、請求項７に記載の発明は、請求項１から請求項６のいずれか一項に記載の発明において、開扉力低減機構を有する扉は、冷蔵庫の前面開口部を前後方向に可動する引出し式扉としたものであり、引出し式扉の意匠性と使い勝手の向上を図ることができる。
【図面の簡単な説明】
【図１】本発明の実施の形態１による冷蔵庫の斜視図
【図２】同実施の形態による冷蔵庫の扉の分解図
【図３】同実施の形態による冷蔵庫の扉のハンドル部分をブロック化した斜視図
【図４】同実施の形態による冷蔵庫の扉のブロック化したハンドル部分の断面図
【図５】従来の冷蔵庫の斜視図
【図６】従来の冷蔵庫の引出し扉の斜視図
【符号の説明】
１　　冷蔵庫
３　　野菜室扉
７　　外板
８　　内板
９　　キャップ
１０　ハンドルブロック
１１　ベース
１２　ハンドル
１３　レバー
１４　カバー
１５　支点軸
１６　切り欠き部
１９　指詰防止壁
【図１】
2004116842.tif 000003
【図２】
2004116842.tif 000004
【図３】
2004116842.tif 000005
【図４】
2004116842.tif 000006
【図５】
2004116842.tif 000007
【図６】
2004116842.tif 000008